(57)【要約】【課題】脚部材を迅速にセット又は収納することができるとともに、脚部材を確実に固定することができる折り畳みテーブルを提供する。【解決手段】互いの一縁を軸線Ｘとして回動可能に連結された２つの天部材２，２と、２つの天部材２，２の下面のそれぞれに天部材２，２を支持すべく下面に対して起立する起立姿勢と起立姿勢から下面に沿う倒伏姿勢とに回動可能に取り付けられた脚部材３，３と、を備え、天部材２，２の下面に一端部が回動可能に連結され、かつ、他端部が脚部材３，３の長手方向中間部に回動可能に連結されるステー４を備え、天部材２，２の下面に案内溝を備える案内部材５を備え、案内部材５の案内溝５Ｍに一端部が移動自在に係止され、かつ、他端部がステー４の長手方向中間部に回動可能に連結されたロックステー６を備えている。【選択図】図３
2020068967.tif 000002
【特許請求の範囲】
【請求項１】
互いの一縁を軸線として回動可能に連結され、下面同士が対面することで折り畳み可能に構成された２つの天部材と、該２つの天部材の下面のそれぞれに該天部材を支持すべく該下面に対して起立する起立姿勢と該起立姿勢から該下面に沿う倒伏姿勢とに回動可能に取り付けられた脚部材と、を備え、
前記天部材の下面に一端部が回動可能に連結され、かつ、他端部が前記脚部材の長手方向中間部に回動可能に連結されるステーを備え、更に前記天部材の下面に案内溝を備える案内部材を備え、該案内部材の案内溝に一端部が移動自在に係止され、かつ、他端部が前記ステーの長手方向中間部に回動可能に連結されたロックステーを備え、前記案内溝は、前記脚部材の倒伏方向に沿って前記ロックステーの一端部を移動案内すべく前記天部材の下面に沿うように形成される移動溝と、前記脚部材の起立姿勢において前記ロックステーの一端部が係止して該ロックステーの前記移動を阻止すべく前記移動溝と交差する方向に形成されるロック溝と、を備えていることを特徴とする折り畳みテーブル。
【請求項２】
前記ステーが、前記天部材の下面に一端部が回動可能に連結されて、起立状態の前記脚部材の方へ延設される第１部材と、該第１部材の他端部に両側から挟み込んで回動可能に連結される一対の挟持部と該挟持部のそれぞれから前記天部材の幅方向外側に向けて外拡がり状に延びて前記脚部材に回動可能に連結される外拡部とを有する一対の第２部材と、を備え、
前記脚部材の起立姿勢において前記第１部材の他端部と前記第２部材の一対の挟持部とが連結される連結部を覆うことによって、該第１部材と該第２部材との回動を阻止する筒部材を該第１部材に移動自在に備えていることを特徴とする請求項１に記載の折り畳みテーブル。
【請求項３】
前記各天部材が、略矩形状の天壁部と、該天壁部の縁部から下方に垂下する周壁部と、を備えた箱型部材に構成され、該箱型部材のそれぞれに、前記脚部材が前記倒伏姿勢で収容され、前記脚部材は、該脚部材を回動させるべく前記箱型部材に回動可能に取り付けられる回動部と、該回動部から延びる脚部と、を備え、２つの箱型部材が折り畳まれた時に、一方の箱型部材に収容された脚部材の回動部に係止して折り畳まれた両箱型部材が展開されることを阻止するロック部材を他方の箱型部材に備えていることを特徴とする請求項１又は２に記載の折り畳みテーブル。
【発明の詳細な説明】
【技術分野】
【０００１】
本発明は、折り畳みテーブルに関する。
【０００２】
従来、屋外で使用するテーブルとして、折り畳んで持ち運びが容易に行える折り畳みテーブルが既に提案されている。この折り畳みテーブルは、互いの一縁を軸線として回動可能に構成され下方が開放された２個の箱型部材と、２個の箱型部材のそれぞれに着脱自在に配置される２本の中空パイプ状の脚部材と、を備えている。各箱型部材は、天壁部と、天壁部の周縁から下方に延びる周壁部と、を備えている。各箱型部材の天壁部の下面（裏面）側に、脚部材を挿入可能な筒状の２つのボス部が一体形成され、ボス部に挿入された脚部材を押さえるロック片を装着するための孔が各ボス部に形成され、前記ロック片を脚部材の外面に押し付けるためのロックレバーが回動可能に各ボス部に設けられている（例えば特許文献１参照）。
【先行技術文献】
【特許文献】
【０００３】
【特許文献１】実用新案登録第３０２６２６５号公報
【発明の概要】
【発明が解決しようとする課題】
【０００４】
上記特許文献１では、テーブルをセットする場合やテーブルを収納する場合に、各箱型部材の天壁部の２つのボス部のそれぞれに、脚部材を着脱する作業が必要になるだけでなく、それぞれのロックレバーを回動させてボス部に脚部材を固定する又は固定解除する操作をしなければならず、手間のかかる作業になっていた。また、ロックレバーでロック片を脚部材の外面に押し付けて脚部材をボス部に固定する場合に、押し付け力が十分に作用していないと、脚部材をボス部に確実に固定することができず、脚部材がボス部に対してガタ付いてしまうことがあり、改善の余地があった。
【０００５】
本発明は前述の状況に鑑み、解決しようとするところは、脚部材を迅速にセット又は収納することができるとともに、脚部材を確実に固定することができる折り畳みテーブルを提供するものである。
【課題を解決するための手段】
【０００６】
本発明の折り畳みテーブルは、前述の課題解決のために、互いの一縁を軸線として回動可能に連結され、下面同士が対面することで折り畳み可能に構成された２つの天部材と、該２つの天部材の下面のそれぞれに該天部材を支持すべく該下面に対して起立する起立姿勢と該起立姿勢から該下面に沿う倒伏姿勢とに回動可能に取り付けられた脚部材と、を備え、前記天部材の下面に一端部が回動可能に連結され、かつ、他端部が前記脚部材の長手方向中間部に回動可能に連結されるステーを備え、更に前記天部材の下面に案内溝を備える案内部材を備え、該案内部材の案内溝に一端部が移動自在に係止され、かつ、他端部が前記ステーの長手方向中間部に回動可能に連結されたロックステーを備え、前記案内溝は、前記脚部材の倒伏方向に沿って前記ロックステーの一端部を移動案内すべく前記天部材の下面に沿うように形成される移動溝と、前記脚部材の起立姿勢において前記ロックステーの一端部が係止して該ロックステーの前記移動を阻止すべく前記移動溝と交差する方向に形成されるロック溝と、を備えていることを特徴としている。
【０００７】
本発明によれば、テーブルをセットする場合には、倒伏姿勢の脚部材を回動させることによって、起立姿勢にすることができる。この倒伏姿勢から起立姿勢への姿勢変更時には、ロックステーの一端部が案内溝に係止案内されることで脚部材の姿勢変更をスムーズに行うことができる。そして、起立姿勢でロックステーの一端部が移動溝と交差する方向に形成されたロック溝に係止することによって案内部材に対するロックステーの一端部の移動が阻止されることで、脚部材が回動不能に固定され、テーブルをセットすることができる。また、テーブルを収納する場合には、ロック溝に係止しているロックステーの一端部を係止解除してから、起立姿勢の脚部材を回動させることによって、倒伏姿勢にしてテーブルを収納することができる。この起立姿勢から倒伏姿勢への姿勢変更時には、ロックステーの一端部が案内溝に係止案内されることで脚部材の姿勢変更をスムーズに行うことができる。
【０００８】
又、本発明の折り畳みテーブルは、前記ステーが、前記天部材の下面に一端部が回動可能に連結されて、起立状態の前記脚部材の方へ延設される第１部材と、該第１部材の他端部に両側から挟み込んで回動可能に連結される一対の挟持部と該挟持部のそれぞれから前記天部材の幅方向外側に向けて外拡がり状に延びて前記脚部材に回動可能に連結される外拡部とを有する一対の第２部材と、を備え、前記脚部材の起立姿勢において前記第１部材の他端部と前記第２部材の一対の挟持部とが連結される連結部を覆うことによって、該第１部材と該第２部材との回動を阻止する筒部材を該第１部材に移動自在に備えていてもよい。
【０００９】
上記のように、脚部材の起立姿勢において第１部材の他端部と第２部材の挟持部とが連結される連結部を筒部材で覆うことによって、第１部材と第２部材との回動が阻止される。前記ロックステーのロック溝への係止に加えて、第１部材と第２部材との回動が阻止されることによって、脚部材の起立姿勢をより一層確実に保持することができる。
【００１０】
又、本発明の折り畳みテーブルは、前記各天部材が、略矩形状の天壁部と、該天壁部の縁部から下方に垂下する周壁部と、を備えた箱型部材に構成され、該箱型部材のそれぞれに、前記脚部材が前記倒伏姿勢で収容され、前記脚部材は、該脚部材を回動させるべく前記箱型部材に回動可能に取り付けられる回動部と、該回動部から延びる脚部と、を備え、２つの箱型部材が折り畳まれた時に、一方の箱型部材に収容された脚部材の回動部に係止して折り畳まれた両箱型部材が展開されることを阻止するロック部材を他方の箱型部材に備えていてもよい。
【００１１】
上記のように、各箱型部材に各脚部材が折り畳み姿勢で収容されるので、折り畳みテーブルを持ち運ぶときに、脚部材が他物に直接当接することを防止することができる。また、２つの箱型部材が折り畳まれた時に、一方の箱型部材に収容された脚部材の回動部にロック部材が係止することによって、折り畳みテーブルを持ち運ぶときに、折り畳まれた両箱型部材が展開されることを阻止することができる。
【発明の効果】
【００１２】
本発明によれば、回動させるだけで起立姿勢と倒伏姿勢に脚部材を姿勢変更させることができ、しかもロックステーの一端部をロック溝に係止又は係止解除するだけで、脚部材の固定及び固定解除を行うことができるので、脚部材を迅速にセット又は収納することができるとともに、脚部材を確実に固定することができる折り畳みテーブルを提供することができる。
【図面の簡単な説明】
【００１３】
【図１】２枚の天部材を折り畳んだ状態の折り畳みテーブルの斜視図である。
【図２】２枚の天部材を展開した状態の折り畳みテーブルの底面図である。
【図３】２枚の天部材を展開し、脚部材を起立姿勢にした状態の折り畳みテーブルの底面図である。
【図４】折り畳みテーブルを地面にセットした状態の側面図である。
【図５】図３におけるＶ−Ｖ線断面図において、一方側を省略した図である。
【図６】図５において脚部材を折り畳んでいる状態を示す断面図である。
【図７】２枚の天部材を折り畳み不能にするためのロック部材を示し、（ａ）は非ロック状態を示す平面図、（ｂ）は非ロック状態を示す側面図、（ｃ）はロック状態を示す側面図である。
【発明を実施するための形態】
【００１４】
以下、本発明の実施形態を図面に基づいて説明する。
【００１５】
本発明の折り畳みテーブルについて説明する。図１〜図６に、折り畳みテーブル１を示し、この折り畳みテーブル１は、２つの天部材２，２と、天部材２，２に収納される２つの脚部材３，３と、脚部材３，３と天部材２，２とをそれぞれ連結するためのステー４と、天部材２，２の下面（裏面）にそれぞれ備えた案内部材５と、該案内部材５とステー４とを連結するロックステー６と、を備えている。折り畳みテーブル１は、主として屋外で使用される場合が多いが、屋内で使用してもよい。
【００１６】
図１では、２つの天部材２，２を折り畳んで一方の天部材２に取り付けられている取っ手７を持って折り畳みテーブル１を持ち運べる状態を示している。図２及び図３は、２つの天部材２，２を展開した状態の折り畳みテーブル１を示している。図４は、折り畳みテーブルＦを地面（又は床）Ｆにセットした状態を示している。
【００１７】
天部材２，２は、互いに一縁を軸線Ｘ（図２参照）として回動可能に連結され、下面（裏面）同士が対面することで折り畳み可能に構成されている。図１に折り畳んだ折り畳みテーブル１を示している。
【００１８】
各天部材２は、略矩形状（略長方形状）で板状の天壁部２Ａと、天壁部２Ａの縁部から下方に垂下する板状の周壁部２Ｂと、を備えた箱型部材に構成されている。周壁部２Ｂは、天壁部２Ａの短辺方向で対向する左右壁部２ａ，２ｂと、左右の壁部２ａ，２ｂの前記軸線Ｘから離間する側の端同士を連結する連結壁部２ｃと、を備えている。前記のように構成された各箱型部材２に、各脚部材３が後述する倒伏姿勢で収容されている（図２参照）。また、各天壁部２Ａの下面（裏面）に、脚部材３の一部を収容するための凹部２Ｈが形成されている。
【００１９】
図２及び図３に示すように、各天壁部２Ａの下面（裏面）の、左右壁部２ａ，２ｂの近傍位置のそれぞれに、角型のパイプ８を固定し、２本のパイプ８，８の軸線Ｘ側端部に、軸線Ｘを越えて他方のパイプ側に延びるように一対の延出片９，９、１０，１０を取り付け、それら一方の一対の延出片９，９に対して他方の一対の延出片１０，１０を外側に重ね合わせた状態でピン１１，１１により回動可能に連結している。したがって、ピン１１，１１の軸線Ｘ回りで２つのパイプ８，８が回動することによって、天部材２，２が回動するように構成されている。各延出片９，１０は、下方に突出する円弧部９Ａ，１０Ａを備えており、この円弧部９Ａ，１０Ａの中心にピン１１が貫通している。
【００２０】
また、図７（ａ），（ｂ），（ｃ）に示すように、２つの天部材２，２を折り畳んだ状態から展開した状態で固定可能なロック機構Ｒを備えている。ロック機構Ｒは、天部材２の短辺方向一端部にのみ設けられ、内側に位置する前記一対の延出片９，９間に前記ピン１１に貫通して回動可能に配置された回動操作部１２と、回動操作部１２の回動操作により天壁部２Ａの下面と平行に移動する棒状のロックピン１３と、移動するロックピン１３が係止するべく外側に位置する前記一対の延出片１０，１０に形成の被係止部である切欠き１０Ｋ，１０Ｋと、を備えている。
【００２１】
ロックピン１３は、内側に位置する前記一対の延出片９，９に形成の長孔９Ｍ，９Ｍに移動可能に貫通されている。このロックピン１３は、長孔９Ｍ，９Ｍの長手方向と直交する幅の寸法よりも大きな直径を有する頭部１３Ａ，１３Ａと頭部１３Ａ，１３Ａ同士を連結する軸部１３Ｂと、を備えている。この軸部１３Ｂと前記回動操作部１２とが連結部材１４で連動連結されており、回動操作部１２の一方側への回転により軸部１３Ｂを長孔９Ｍの長手方向一端に移動させ、回動操作部１２の他方側への回転により軸部１３Ｂを長孔９Ｍの長手方向他端に移動させることができる。図７（ａ），（ｂ）では、回動操作部１２を反時計回りに回転させることにより、軸部１３Ｂを押すことで長孔９Ｍの右端へ移動させる。このとき、頭部１３Ａ，１３Ａが切欠き１０Ｋ，１０Ｋに係止していない状態となり、２つの天部材２，２を折り畳むことができる。また、図７（ｃ）では、回動操作部１２を時計回りに回転させることにより、軸部１３Ｂを引っ張ることで長孔９Ｍの左端へ移動させる。このとき、頭部１３Ａ，１３Ａが切欠き１０Ｋ，１０Ｋに係止した状態となり、２つの天部材２，２を折り畳むことができない。つまり、２つの天部材２，２を展開した状態で固定した状態となっている。
【００２２】
図２に示すように、各脚部材３は、脚部材を回動させるべく箱型部材２に回動可能に取り付けられる回動部１５と、回動部１５から延びる脚部１６と、を備えている。
【００２３】
回動部１５は、円筒状のパイプから構成され、前記２つのパイプ８，８の軸線Ｘから離間する側端部間に回動可能に連結されている。このように２つのパイプ８，８を回動部１５で連結することによって、２つのパイプ８，８の強度を高めることができる。
【００２４】
脚部１６は、回動部１５の長手方向両端部から延びる一対の円筒パイプ１６Ａ，１６Ａと、両円筒パイプ１６Ａ，１６Ａの長手方向中間部同士を連結する板状の連結部材１６Ｂと、を備えている。
【００２５】
各円筒パイプ１６Ａは、回動部１５から一直線上に延びる第１直線部１６ａと、第１直線部１６ａの遊端から外拡がりとなって一直線上に延びる外拡部１６ｂと、外拡部１６ｂの遊端から一直線上に延びるとともに第１直線部１６ａよりも外側に位置する第２直線部１６ｃと、を備えている。脚部材３の倒伏姿勢において、２つの円筒パイプ１６Ａ，１６Ａのうちの一方の円筒パイプ１６Ａの第２直線部１６ｃが係止する弾性変形自在なＣ字状の係止部材１７（図２及び図３参照）を天壁部２Ａの下面（裏面）に固定している。したがって、脚部材３の倒伏姿勢おいて、一方の円筒パイプ１６Ａの第２直線部１６ｃが係止部材１７の先端を押し広げながら係止部材１７内に押し込まれることによって、係止部材１７に第２直線部１６ｃが係止され、脚部材３が天壁部２Ａの下面（裏面）に係止部材１７を介して保持される。
【００２６】
また、２つの箱型部材２，２が折り畳まれた時に、一方の箱型部材２に収容される脚部材３の回動部１５に係止して折り畳まれた両箱型部材２，２が展開されることを阻止する一対のロック部材１８，１８を他方の箱型部材２の脚部材３の回動部１５に備えている。ロック部材１８，１８は、弾性変形自在なＣ字状に形成され、２つの箱型部材２，２が折り畳まれた時に、一方の箱型部材２の回動部１５に備える一対のロック部材１８，１８に、他方の箱型部材２の回動部１５を係止することによって、折り畳まれた両箱型部材２，２が不測に展開されることを阻止することができる。前記係止は、他方の箱型部材２の回動部１５が、一方の箱型部材２のロック部材１８，１８の先端を押し広げながらロック部材１８，１８内に押し込まれることによって、ロック部材１８，１８に回動部１５が係止され、両箱型部材２，２が不測に展開されることを阻止する。
【００２７】
ステー４は、天部材２の下面に一端部が回動可能に連結される第１部材１９と、第１部材１９の他端部に連結される一対の第２部材２０，２０と、を備えている。
【００２８】
第１部材１９は、円筒状のパイプからなり、そのパイプの長手方向両端部のそれぞれを潰して該両端部に平坦部１９Ａを形成している。一方の平坦部１９Ａの先端部が、天部材２に固定されたＵの字状のブラケット２１に挿入された状態で両者を貫通するボルト及び貫通したボルトの先端に螺合するナットにより連結されている。ブラケット２１は、天部材２の下面のうちの軸線Ｘ付近でかつ天部材２の短辺方向略中央部に配置されている。
【００２９】
一対の第２部材２０，２０は、板状部材からなり、第１部材１９の他方の平坦部１９Ａの先端部に両側から挟み込んで回動可能に連結される一対の挟持部２０Ａ，２０Ａと、挟持部２０Ａ，２０Ａから外拡がり状に延びる外拡部２０Ｂ，２０Ｂと、外拡部２０Ｂ，２０Ｂから脚部材３，３の第１直線部１６ａ，１６ａに平行に延びて脚部材３，３の第１直線部１６ａ，１６ａに回動可能に連結される連結部２０Ｃ，２０Ｃと、を備えている。
【００３０】
また、脚部材３，３の起立姿勢において図４に示すように、第１部材１９の第２部材２０側端部と第２部材２０の一対の挟持部２０Ａ，２０Ａとが連結される連結部２２を覆うことによって、第１部材１９と第２部材２０との回動を阻止する円筒状の筒部材２３を第１部材１９に移動自在に備えている。したがって、脚部材３，３の起立姿勢において第１部材１９の他端部（第２部材２０側端部）と第２部材２０の挟持部２０Ａ，２０Ａとが連結される連結部２２を筒部材２３で覆うことによって、第１部材１９と第２部材２０との回動が阻止される。後述するロックステー６のロック溝５ｎへの係止（図５参照）に加えて、第１部材１９と第２部材２０との回動が阻止されることによって、脚部材３，３の起立姿勢をより一層確実に保持することができる。
【００３１】
図３、図５及び図６に示すように、案内部材５は、金属製の板状部材を９０度折り曲げて形成され、天壁部２Ａの下面に取り付けられる取付部５Ａと、取付部５Ａから９０度折り曲げられた長方形状の本体部５Ｂと、を備えている。本体部５Ｂに、それの長手方向に沿う案内溝５Ｍを備えている。
【００３２】
図５に示すように、案内溝５Ｍは、脚部材３の起伏方向に沿ってロックステー６を移動案内すべく天壁部２Ａの下面に沿うように形成される移動溝５ｍと、脚部材３の起立姿勢においてロックステー６の一端部が係止してロックステー６の移動を阻止すべく移動溝５ｍと直交する下方（交差する方向でもよい）に形成されるロック溝５ｎと、を備えている。ロック溝５ｎが移動溝５ｍの長手方向一端に形成され、ロック溝５ｎとは反対側の他端に、第２のロック溝５ｅが形成されている。脚部材３が倒伏姿勢において、第２のロック溝５ｅに後述するロックステー６のピン２４が係止することによって、脚部材３を倒伏姿勢に保持することができる。
【００３３】
図５及び図６に示すように、ロックステー６は、板状の部材から構成され、その一端部に、案内部材５の案内溝５Ｍに移動自在に係止するピン２４を備えている。ロックステー６の他端部は、前記ステー４の長手方向中間部、具体的には、ステー４の第１部材１９の長手方向略中央部に両者を貫通するピン２５により回動可能に連結されている。
【００３４】
したがって、テーブルをセットする場合には、倒伏姿勢の脚部材３を回動させることによって、起立姿勢にすることができる（図３参照）。この倒伏姿勢から起立姿勢への姿勢変更時には、ロックステー６の一端部が案内溝５Ｍに係止案内されることで脚部材３の姿勢変更をスムーズに行うことができる。そして、起立姿勢でロックステー６の一端部が移動溝５ｍと交差する方向（ここでは直交する下方）に形成されたロック溝５ｎに係止することによって案内部材５に対するロックステー６の移動が阻止されることで、脚部材３が回動不能に固定され、テーブルをセットすることができる（図５参照）。また、テーブルを収納する場合には、テーブルを上下逆にしてから、図６に示すように、ロック溝５ｎに係止しているロックステー６の一端部を係止解除し、起立姿勢の脚部材３を回動させることによって、倒伏姿勢にしてテーブルを収納することができる。この起立姿勢から倒伏姿勢への姿勢変更時には、ロックステー６の一端部が案内溝５Ｍに係止案内されることで脚部材３の姿勢変更をスムーズに行うことができる。
【００３５】
尚、本発明は、上記実施形態に限定されるものではなく、本発明の要旨を逸脱しない範囲で種々の変更が可能である。
【００３６】
前記実施形態では、天部材２を箱型部材に構成したが、板状部材に構成してもよい。
【００３７】
また、前記実施形態では、ロック溝５ｎを１個のみ形成したが、複数個のロック溝を形成して脚部材の角度を変更できるようにしてもよい。
【００３８】
また、前記実施形態では、両箱型部材が展開されることを阻止するロック部材１８を一方の脚部材３を構成する回動部１５に備え、他方の脚部材３を構成する回動部１５がロック部材１８に係止する構成であったが、ロック部材を一方の箱型部材２の内部又は外部に備え、このロック部材に係止する被係止部を他方の箱型部材２の内部又は外部に備えて実施してもよい。また、ロック部材１８を設けないで実施することもできる。
【００３９】
また、前記実施形態では、脚部材３の起立姿勢において第１部材１９の他端部と第２部材２０の一対の挟持部２０Ａ，２０Ａとが連結される連結部２２を覆う筒部材２３を設けたが、筒部材２３を省略してもよい。
【符号の説明】
【００４０】
１…折り畳みテーブル、２…天部材（箱型部材）、２Ａ…天壁部、２Ｂ…周壁部、２Ｈ…凹部、２ａ，２ｂ…左右壁部、２ｃ…連結壁部、３…脚部材、４…ステー、５…案内部材、５Ａ…取付部、５Ｂ…本体部、５Ｍ…案内溝、５ｅ…第２のロック溝、５ｍ…移動溝、５ｎ…ロック溝、６…ロックステー、７…取っ手、８…パイプ、９，１０…延出片、９Ａ，１０Ａ…円弧部、９Ｍ…長孔、１１…ピン、１２…回動操作部、１３…ロックピン、１３Ａ…頭部、１３Ｂ…軸部、１４…連結部材、１５…回動部、１６…脚部、１６Ａ…筒パイプ、１６Ｂ…連結部材、１６ａ…第１直線部、１６ｂ…外拡部、１６ｃ…第２直線部、１７…係止部材、１８…ロック部材、１９…第１部材、１９Ａ…平坦部、２０…第２部材、２０Ａ…挟持部、２０Ｂ…外拡部、２０Ｃ…連結部、２１…ブラケット、２２…連結部、２３…筒部材、２４，２５…ピン、Ｆ…テーブル、Ｒ…ロック機構、Ｘ…軸線
【図１】
2020068967.tif 000003
【図２】
2020068967.tif 000004
【図３】
2020068967.tif 000005
【図４】
2020068967.tif 000006
【図５】
2020068967.tif 000007
【図６】
2020068967.tif 000008
【図７】
2020068967.tif 000009